(57)【要約】【課題】筆記具の、インクとコレクターとを収納する筒状構造において、コレクター収納部分とインク収納部分とを異なる材質で形成することで、コレクター収納部分におけるクラックの発生を防止しつつ、インク収納部分内部の視認性の高いコレクター式筆記具を提供する。【解決手段】軸筒２０と、前記軸筒２０の先端に装着される筆記先端５０と、  前記軸筒２０の内部に挿入固定されるコレクター３０と、前記軸筒２０の後方に形成され、その内部にインクを収納するインク収納管２５とを備えた筆記具１０であって、前記インク収納管２５は、ＡＳＴＭ−Ｄ１００３による透過率が８０％以上の合成樹脂材料で形成されているとともに、前記軸筒２０は、ＡＳＴＭ−Ｄ６３８による引張伸びが１１０％以上の合成樹脂材料で形成されている。【選択図】  図２
2004306551.tif 000002
【特許請求の範囲】
【請求項１】
軸筒と、
前記軸筒の先端に装着される筆記先端と、
前記軸筒の内部に挿入固定されるコレクターと、
前記軸筒の後方に形成され、その内部にインクを収納するインク収納管とを備えた筆記具であって、
前記インク収納管は、ＡＳＴＭ−Ｄ１００３による透過率が８０％以上の合成樹脂材料で形成されているとともに、
前記軸筒は、ＡＳＴＭ−Ｄ６３８による引張伸びが１１０％以上の合成樹脂材料で形成されていることを特徴とする筆記具。
【請求項２】
前記軸筒は、ポリプロピレンで形成されていることを特徴とする請求項１記載の筆記具。
【請求項３】
前記軸筒の後端は、前記インク収納管の先端に外嵌合されていることを特徴とする請求項１又は２記載の筆記具。
【請求項４】
前記軸筒と前記インク収納管との嵌合個所において、同軸筒の外側に少なくとも同軸筒の外周を覆う接合部カバー部材を設けたことを特徴とする請求項３記載の筆記具。
【請求項５】
前記接合部カバー部材は、前記インク収納管も覆っていることを特徴とする請求項４記載の筆記具。
【請求項６】
前記接合部カバー部材は、ＡＳＴＭ−Ｄ６３８による引張伸びが１１０％以上、ＡＳＴＭ−Ｄ１００３による透過率が８０％以上の合成樹脂材料で形成したことを特徴とする請求項４又は５記載の筆記具。
【請求項７】
少なくとも前記インク収納管を覆うインク収納管カバー部材を設けたことを特徴とする請求項１又は２記載の筆記具。
【請求項８】
前記インク収納管カバー部材は、ＡＳＴＭ−Ｄ６３８による引張伸びが１１０％以上、ＡＳＴＭ−Ｄ１００３による透過率が８０％以上の合成樹脂材料で形成したことを特徴とする請求項７記載の筆記具。
【発明の詳細な説明】
【０００１】
【発明の属する技術分野】
本発明は、筆記先端を有し、インクの漏出等を防止するコレクターを備えた筆記具に関するものである。
【０００２】
【従来の技術】
従来、ボールペンチップやフェルトチップ等の筆記先端を有し、内部に比較的流動性の高いインクを収納する筆記具が提供されている。
このような筆記具として、下記の特許文献１に記載されるものがある。
下記の特許文献１には、インクを収納する部分に引張伸びが１１０％（ＡＳＴＭ−Ｄ６３８）以下で、かつ、透過率が８０％（ＡＳＴＭ−Ｄ１００３）以上の合成樹脂材料を使用することが開示されている。このため、内部インクの残量、色などを明確に把握することができることとなっている。
【０００３】
【特許文献１】
特開２０００−３２６６８３号公報
【０００４】
【発明が解決しようとする課題】
内部に比較的流動性の高いインクを収納する筆記具においては、筆記によりインク量が減少して行くにつれて、筆記具内部に空気が蓄積されていくことととなる。そして、筆記具の内圧が外圧に比べて相対的に高くなる状況下では、原理的にインクが筆記先端から噴出するという問題を有している。このような問題に対処すべく、内部に比較的流動性の高いインクを収納する筆記具においては、インクと筆記先端との間に、インクを貯留可能ないわゆるコレクターを装着することが多い。
【０００５】
コレクターとしては、たとえば、複数枚の板状部材が軸方向に平行に配され、同板状部材間にインクを保留可能としているものがある。
このようなコレクターは、通常、一方を封鎖した有底状の筒状構造の、反有底状側（すなわち、先端側）に挿入固定、より具体的には圧入固定されるものである。
【０００６】
このため、前記特許文献１のように、引張伸びが１１０％（ＡＳＴＭ−Ｄ６３８）以下の合成樹脂材料を、このような筒状構造に使用すると、引張応力が作用するため、クラックの発生などが懸念される。
そこで、本発明は、インクとコレクターとを収納する筒状構造において、コレクター収納部分とインク収納部分とを異なる材質で形成することで、コレクター収納部分におけるクラックの発生を防止しつつ、インク収納部分内部の視認性の高いコレクター式筆記具を提供することを第１の課題とする。
【０００７】
また、本発明は、上記第１の課題に加え、インクとコレクターとを収納する筒状構造におけるクラックの発生の可能性をより低めることを第２の課題とする。
さらに、本発明は、上記第２の課題に加え、インクとコレクターとを収納する筒状構造において、コレクター収納部分とインク収納部分との接合を確実にすることを第３の課題とする。
【０００８】
また、本発明は、上記第３の課題に加え、インク収納部分の保護を第４の課題とする。
さらに、本発明は、上記第１の課題に加え、インク収納部分の保護を第５の課題とする。
【０００９】
【課題を解決するための手段】
（１）第１の発明
上記の第１の課題に鑑み、本発明のうちの第１の発明は、軸筒２０と、前記軸筒２０の先端に装着される筆記先端５０と、前記軸筒２０の内部に挿入固定されるコレクター３０と、前記軸筒２０の後方に形成され、その内部にインクを収納するインク収納管２５とを備えた筆記具１０であって、前記インク収納管２５は、ＡＳＴＭ−Ｄ１００３による透過率が８０％以上の合成樹脂材料で形成されているとともに、前記軸筒２０は、ＡＳＴＭ−Ｄ６３８による引張伸びが１１０％以上の合成樹脂材料で形成されていることを特徴とする。
【００１０】
軸筒２０とは、筆記具１０の外部構造のうち、コレクター３０を収納する部分をいう。ここで、この軸筒２０に使用する合成樹脂材料の引張伸びが１１０％以上である根拠は、以下の通りである。コレクター３０を軸筒２０に挿入固定するに伴い、軸筒２０に引張応力が作用する。このとき、引張伸びが１１０％未満の合成樹脂材料を使用してしまうと、クラックが発生する可能性が高い。そこで、軸筒２０を引張伸びが１１０％以上の合成樹脂材料で形成することで、クラック等の発生を防止することとした。なお、軸筒２０に使用する樹脂材料の引張伸びは好ましくは１５０％以上、より好ましくは２００％以上である。この軸筒２０を形成する素材としては、たとえば、耐薬品製を有することでインクなどに対しても強く、また、引張伸びが比較的大きいことから、ポリプロピレンを使用することができる。
【００１１】
本発明に用いる筆記先端５０の種類は特に問わない。たとえば、ボールペンチップ、サインペンのような繊維状ペン先、及び、細管式筆記具における細管などがある。
コレクター３０とは、インク収納管２５と筆記先端５０との間でインクを貯留可能な部材をいう。たとえば、複数枚の板状部材３１が軸方向に平行に配され、同板状部材３１間にインクを保留可能としているものがこれに当たる。
【００１２】
インク収納管２５とは、筆記具１０において、インクを直接収納する部分をいう。ここで、このインク収納管２５に使用する合成樹脂材料の透過率が８０％以上である根拠は、以下の通りである。インク収納管２５には、インクが直接収納されるため、インク残量及び色を使用者に認識させることが好ましい。このとき、透過率が８０％未満の合成樹脂材料を使用してしまうと、インク残量及び色の視認性が阻害されることとなる。そこで、インク収納管２５は、透過率が８０％以上の合成樹脂材料で形成することとした。
【００１３】
なお、インク収納管２５を形成する合成樹脂材料の引張伸びについては、本発明では特に限定していない。ただ、透過率が８０％以上の合成樹脂材料は、概ね引張伸びが小さいことから、１０５％以下であることが多い。
本第１の発明におけるインク収納管２５は、軸筒２０とは別部材として形成して軸筒２０に装着することもできるし、また、いわゆる２色成形により軸筒２０と一体成形で設けることもできる。
【００１４】
上記構成により、コレクター３０収納部分におけるクラックの発生を防止しつつ、インク収納部分内部の視認性の高いコレクター式筆記具を提供することが可能となっている。
（２）第２の発明
前記第２の課題に鑑み、本発明のうち第２の発明は、前記第１の発明の特徴に加え、前記軸筒２０の後端は、前記インク収納管２５の先端に外嵌合されていることを特徴とする。
【００１５】
すなわち、軸筒２０はインク収納管２５に外嵌合されるため、引張応力が発生するのは軸筒２０の方であり、インク収納管２５ではない。そして、前記第１の発明の特徴のごとく、軸筒２０はＡＳＴＭ−Ｄ６３８による引張伸びが１１０％以上の合成樹脂材料で形成されているので、クラックの発生が防止できる。
上記構成により、インクとコレクター３０とを収納する筒状構造におけるクラックの発生の可能性をより低めることが可能となっている。
【００１６】
（３）第３の発明
前記第３の課題に鑑み、本発明のうち第３の発明は、前記第２の発明の特徴に加え、前記軸筒２０と前記インク収納管２５との嵌合個所において、同軸筒２０の外側に少なくとも同軸筒２０の外周を覆う接合部カバー部材２６を設けたことを特徴とする。
【００１７】
すなわち、前記第２の発明においては、インク収納管２５は軸筒２０の内側に嵌合させているため、軸筒２０には引張応力が作用することになる。このため、この嵌合個所が緩んだりして不安定になるおそれがある。そこで、接合部カバー部材２６を設けてこの嵌合個所を覆うことで、安定化を図ることができる。
なお、接合部カバー部材２６の形状は、軸筒２０とインク収納管２５との嵌合個所を覆う構造であれば特に限定されない。たとえば、この嵌合個所を覆うことが可能な幅のリング状として、軸筒２０の外周に嵌め込むこととしてもよい。
【００１８】
上記構成により、インクとコレクター３０とを収納する筒状構造において、コレクター３０収納部分とインク収納部分との接合を確実にすることが可能となっている。
なお、接合部カバー部材２６には、軸筒２０外周に外嵌合されることで引張応力が働くこととなるため、合成樹脂材料で形成する場合には、軸筒２０と同様に、引張伸びが１１０％（ＡＳＴＭ−Ｄ６３８）以上であることが望ましい。なお、接合部カバー部材２６として、金属製のリング状部材を用いることとしてもよい。
【００１９】
（４）第４の発明
前記第４の課題に鑑み、本発明のうち第４の発明は、前記第３の発明の特徴に加え、前記接合部カバー部材２６は、前記インク収納管２５も覆っていることを特徴とする。
すなわち、インク収納管２５がむき出しであると、外力によりインク収納管２５と軸筒２０との嵌合個所が緩む可能性があり、最悪の場合インク漏れによる衣服の汚損なども生じ得る。そこで、接合部カバー部材２６が、インク収納管２５と軸筒２０との嵌合個所のみならずインク収納管２５をも覆うように形成することで、この問題を防止することとしている。
【００２０】
また、インク収納管２５は外力による衝撃に対し弱いため、このような接合部カバー部材２６を設けることは衝撃対策としての意義もある。さらに、外部からの化学的作用、たとえば薬品によるインク収容管２５の劣化を防止するという点からも、このカバー部材２６を設ける意義がある。
上記構成により、軸筒２０とインク収納管２５の嵌合個所のみならず、インク収納管２５の保護が図られることとなっている。
【００２１】
なお、接合部カバー部材２６には、軸筒２０外周に外嵌合されることで引張応力が働くこととなるため、軸筒２０と同様に、引張伸びが１１０％（ＡＳＴＭ−Ｄ６３８）以上の合成樹脂材料で形成することが望ましい。さらに、接合部カバー部材２６はインク収納管２５を覆うため、その合成樹脂材料は、インク収納管２５と同様に、透過率が８０％（ＡＳＴＭ−Ｄ１００３）であることが望ましい。
【００２２】
このような合成樹脂材料としては、具体的には、ポリカーボネート（透過率９０％、引張伸び１１０％）、ナイロン（引張伸び２００％以上）、ポリ塩化ビニルなどがある。
なお、接合部カバー部材２６は、たとえば２色成型により、軸筒２０外周に嵌合される部分を引張伸びが１１０％以上の合成樹脂材料で形成し、それ以外の部分を引張伸びが１１０％未満の合成樹脂材料で形成することとしてもよい。
【００２３】
また、透過率が８０％未満の合成樹脂材料を接合部カバー部材２６として用いる場合は、インク収納管２５の内部を十分に視認させるために、軸筒２０外周に嵌合される部分以外の個所にのぞき孔を設けたり、又は、２色成型により部分的に透過率が８０％以上の合成樹脂材料を用いることとしてもよい。
（５）第５の発明
前記第５の課題に鑑み、本発明のうち第５の発明は、前記第１の発明の特徴に加え、少なくとも前記インク収納管２５を覆うインク収納管カバー部材を設けたことを特徴とする。
【００２４】
すなわち、インク収納管２５は外力による衝撃に対し弱いため、このような接合部カバー部材２６を設けることとしている。
上記構成により、インク収納管２５の保護が図られることとなっている。
なお、インク収納管カバー部材には、インク収容管２５の一部との間で引張応力が生じることがあるため、軸筒２０と同様に、引張伸びが１１０％（ＡＳＴＭ−Ｄ６３８）以上の合成樹脂材料で形成することが望ましい。さらに、インク収納管カバー部材はインク収納管２５を覆うため、その合成樹脂材料は、インク収納管２５と同様に、透過率が８０％（ＡＳＴＭ−Ｄ１００３）であることが望ましい。
【００２５】
このような合成樹脂材料としては、具体的には、ポリカーボネート（透過率９０％、引張伸び１１０％）、ナイロン（引張伸び２００％以上）、ポリ塩化ビニルなどがある。
なお、インク収容管カバー部材は、たとえば２色成型により、インク収納管２５との間で引張応力が生じる部分を引張伸びが１１０％以上の合成樹脂材料で形成し、それ以外の部分を引張伸びが１１０％未満の合成樹脂材料で形成することとしてもよい。
【００２６】
また、透過率が８０％未満の合成樹脂材料をインク収容管カバー部材として用いる場合は、インク収納管２５の内部を十分に視認させるために、一部にのぞき孔を設けたり、又は、２色成型により部分的に透過率が８０％以上の合成樹脂材料を用いることとしてもよい。
【００２７】
【発明の実施の形態】
以下、本発明の１の実施の形態を、図面を参照しつつ説明する。
図１は、本実施の形態に係る筆記具１０の正面図を一部断面をもって示したものである。図２は、本実施の形態に係る筆記具１０において、軸筒２０とインク収納管２５との嵌合部分を拡大して示したものである。
【００２８】
本実施の形態に係る筆記具１０は、図１に示すように、インク収納管２５の先端に、軸筒２０の後端部分が外嵌合されて形成されている。本実施の形態においては、軸筒２０の材質には、ＡＳＴＭ−Ｄ６３８による引張伸びが２００％であるポリプロピレンが用いられている。また、インク収納管２５の材質には、ＡＳＴＭ−Ｄ６３８による引張伸びが３％であり、かつ、ＡＳＴＭ−Ｄ１００３による透過率が９０％である環状オレフィンコポリマー樹脂が用いられている。さらに、軸筒２０の後端部分がインク収納管２５の先端に外嵌合されている個所から、インク収納管２５の後端までが、接合部カバー部材２６により覆われている。この接合部カバー部材２６の材質には、ＡＳＴＭ−Ｄ６３８による引張伸びが１１０％であり、かつ、ＡＳＴＭ−Ｄ１００３による透過率が９０％であるポリカーボネートが用いられている。この接合部カバー部材２６は、軸筒２０の後端部分がインク収納管２５の先端に外嵌合されている個所のみならず、インク収納管２５の全体も覆っていることから、インク収納管カバー部材としても機能することとなっている。また、この接合部カバー部材２６の透過率が９０％で、さらにその内部のインク収納管２５の透過率が９０％であることから、インク収納管２５の内部に収納したインクの残量及び色が、接合部カバー部材２６の外側から容易に視認可能となっている。
【００２９】
軸筒２０の内部にはＡＢＳ樹脂製のコレクター３０が圧入されている。コレクター３０においては、複数枚の板状部材３１が軸方向に平行に配され、この板状部材３１間にインクが保留可能となっている。さらに、そのコレクター３０の軸心には、繊維束体により形成されたインク誘導芯３５が貫装されている。ここで、このコレクター３０の圧入により、軸筒２０には外周方向の引張応力が生じる。しかし、軸筒２０はＡＳＴＭ−Ｄ６３８による引張伸びが２００％であるポリプロピレンで形成されているので、この圧入により軸筒２０にクラックが生じることはない。
【００３０】
軸筒２０の先端、すなわち、コレクター３０の前方には、ポリプロピレン製の継ぎ手４０が装着される。さらに、この継ぎ手４０の前方には、ポリアセタール製の口先部４５を介して筆記先端５０が装着される。本実施の形態においては、筆記先端５０として、ステンレス鋼製の円柱材を切削して形成され、超硬合金製のボールを抱持してなるボールペンチップを使用している。
【００３１】
インク収納管２５内には、流動性の高いインクが充填される。このインクは、インク誘導芯３５を浸透して筆記先端５０へ至る。
図２は、軸筒２０とインク収納管２５との嵌合部分を拡大して示したものである。軸筒２０の後端部分は、インク収納管２５の先端部分を覆うように、外嵌合されている。このとき、軸筒２０の後端部分には、外周方向の引張応力が生じる。しかし、軸筒２０はＡＳＴＭ−Ｄ６３８による引張伸びが２００％であるポリプロピレンで形成されているので、この外嵌合によりクラックが生じることはない。
【００３２】
また、インク収納管２５の先端部分を覆う軸筒２０の後端部分には、接合部カバー部材２６の先端部分が外嵌合される。このとき、接合部カバー部材２６の先端部分には、外周方向の引張応力が生じる。しかし、接合部カバー部材２６はＡＳＴＭ−Ｄ６３８による引張伸びが１１０％であるポリカーボネートで形成されているので、この外嵌合によりクラックが生じることはない。
【００３３】
【発明の効果】
本発明は、上記の通り構成されているので、以下に記す効果を奏する。
すなわち、本発明のうち第１の発明の構成によると、筆記具の、インクとコレクターとを収納する筒状構造において、コレクター収納部分とインク収納部分とを異なる材質で形成することで、コレクター収納部分におけるクラックの発生を防止しつつ、インク収納部分内部の視認性の高いコレクター式筆記具を提供することが可能となる。
【００３４】
また、本発明のうち第２の発明の構成によると、上記第１の発明の効果に加え、インクとコレクターとを収納する筒状構造におけるクラックの発生の可能性をより低めることが可能となる。
さらに、本発明のうち第３の発明の構成によると、上記第２の発明の効果に加え、インクとコレクターとを収納する筒状構造において、コレクター収納部分とインク収納部分との接合を確実にすることが可能となる。
【００３５】
また、本発明のうち第４の発明の構成によると、上記第３の発明の効果に加え、インク収納部分の保護が図られることとなる。
さらに、本発明のうち第５の発明の構成によると、上記第１の発明の効果に加え、インク収納部分の保護が図られることとなる。
【図面の簡単な説明】
【図１】本発明の１の実施の形態に係る筆記具の正面図を、一部断面をもって示したものである。
【図２】本発明の１の実施の形態に係る筆記具において、軸筒とインク収納管との嵌合部分を拡大して示したものである。
【符号の説明】
１０  筆記具                ２０  軸筒
２５  インク収納管          ２６  接合部カバー部材
３０  コレクター            ３１  板状部材
３５  インク誘導芯          ４０  継ぎ手
４５  口先部                ５０  筆記先端
【図１】
2004306551.tif 000003
【図２】
2004306551.tif 000004